(57)【要約】【課題】  読み取られた画像データの画質低下を抑制しつつ、読み取り作業の効率を向上させることが可能な画像読取装置を提供する。【解決手段】  フラットベッド用の静止読取窓７に第１載置部７Ａと第２載置部７Ｂとを設け、原稿が第１載置部７Ａに載置された場合に限り補正処理が実行され、一方、原稿が第２載置部７Ｂに載置された場合には補正処理が実行されない構成とする。これにより、不必要な補正処理が実行されることを利用者の意志により防止できるので、読み取られた画像データの画質低下を抑制しつつ、読み取り作業の効率を向上させることが可能となる。【選択図】  図３
2008227843.tif 000002
【特許請求の範囲】
【請求項１】
原稿が載置される第１載置部及び第２載置部が設けられた原稿載置台と、
前記原稿載置台に載置された原稿に形成されている画像を読み取る撮像素子と、
前記第１載置部に原稿が載置されたか否かを検出する第１検出手段と有し、
前記第１載置部は、前記第２載置部に対して相対的に、前記撮像素子の主走査及び副走査方向のうち少なくとも一方と平行な方向にずれて設けられており、
さらに、前記第１検出手段により前記第１載置部に原稿が載置されたことが検出されたときに、前記撮像素子にて読み取られた画像の電子データを補正する第１補正手段を有していることを特徴とする画像読取装置。
【請求項２】
前記第１載置部と第２載置部のずれに基づいて、前記電子データを補正する第２補正手段を備えていることを特徴とする請求項１に記載の画像読取装置。
【請求項３】
前記第１載置部の一部と前記第２載置部の一部とが重なっており、
前記第１載置部のうち前記第２載置部と重ならない部位には、前記第１載置部に載置された原稿を前記第１載置部に向けて押さえ付ける原稿端部押さえ部材が設けられており、
さらに、前記第１検出手段は、前記原稿端部押さえ部材が設けられた位置に対応する位置にて前記第１載置部に原稿が載置されたか否かを検出することを特徴とする請求項１又は２に記載の画像読取装置。
【請求項４】
前記第１載置部は、第２載置部に対して副走査方向のうち走査開始位置側にずれて設けられており、
前記原稿端部押さえ部材は、前記第１載置部のうち前記走査開始位置側の端部に設けられていることを特徴とする請求項３に記載の画像読取装置。
【請求項５】
前記原稿載置台に載置された原稿と前記原稿載置台との間に発生した隙間の距離を検出する第２検出手段が備えられており、
さらに、前記第１補正手段は、前記第２検出手段の検出結果に基づいて前記電子データを補正することを特徴とする請求項１ないし４のいずれか１つに記載の画像読取装置。
【発明の詳細な説明】
【技術分野】
【０００１】
本発明は、フラットベット型の画像読取装置に関するものである。
【背景技術】
【０００２】
フラットベット型の画像読取装置とは、周知のごとく、原稿が原稿載置台に載せられた状態で、撮像素子により原稿に形成（印刷）されている画像を読み取る画像読取装置である。このフラットベット型の画像読取装置においては、原稿載置台に載せられた原稿が湾曲していると、読み取られた画像データの質が低下するという問題がある。
【０００３】
この問題に対して、原稿載置台を覆うカバーに取り付けられた原稿押さえ部材により、その原稿を原稿載置台に押し付けて、原稿の湾曲を矯正する技術が知られている（例えば、特許文献１参照）。
【０００４】
しかし、原稿が本のように綴じられている場合や剛性（コシ）の強い原稿である場合には、原稿押さえ部材で原稿を押さえ付けても、確実に原稿の湾曲を矯正できず、読み取られた画像データの画質を十分に向上させることができない場合がある。
【０００５】
このような場合に対して、例えば特許文献２に記載の発明では、撮像素子により読み取られた画像データに対して補正処理を行うことにより、画像データの画質が低下してしまうことを防止している、
【特許文献１】特開昭６０−１６６９４３号公報
【特許文献２】特開２００３−２３４８９０号公報
【発明の開示】
【発明が解決しようとする課題】
【０００６】
しかし、画像データの補正処理は負荷が大きい処理であるので、補正処理のために原稿の読み取り速度が低下し、利用者による原稿の読み取り作業の効率が低下してしまうおそれがある。
【０００７】
本発明は、上記点に鑑み、読み取られた画像データの画質低下を抑制しつつ、読み取り作業の効率を向上させることが可能な画像読取装置を提供することを目的とする。
【課題を解決するための手段】
【０００８】
本発明は、上記目的を達成するために、請求項１に記載の発明では、原稿が載置される第１載置部及び第２載置部が設けられた原稿載置台と、原稿載置台に載置された原稿に形成されている画像を読み取る撮像素子と、第１載置部に原稿が載置されたか否かを検出する第１検出手段と有し、第１載置部は、第２載置部に対して相対的に、撮像素子の主走査及び副走査方向のうち少なくとも一方と平行な方向にずれて設けられており、さらに、第１検出手段により第１載置部に原稿が載置されたことが検出されたときに、撮像素子にて読み取られた画像の電子データを補正する第１補正手段を有していることを特徴とする。
【０００９】
これにより、請求項１に記載の発明では、例えば利用者が原稿を第１載置部に載置した場合には補正処理が実行され、一方、利用者が原稿を第２載置部に載置した場合には補正処理が実行されない。
【００１０】
したがって、不必要な補正処理が実行されることを利用者の意志により防止できるので、読み取られた画像データの画質低下を抑制しつつ、読み取り作業の効率を向上させるこ
とが可能となる。
【００１１】
請求項２に記載の発明では、電子データに対して方向のずれを補正する第２補正手段を備えていることを特徴とする。
これにより、請求項２に記載の発明では、第１載置部と第２載置部とが互いにずれていても、第１載置部に載置されて読み取られた画像データの位置と第２載置部に載置されて読み取られた画像データの位置とを一致させることができる。
【００１２】
請求項３に記載の発明では、第１載置部の一部と第２載置部の一部とが重なっており、
第１載置部のうち第２載置部と重ならない部位には、第１載置部に載置された原稿を第１載置部に向けて押さえ付ける原稿端部押さえ部材が設けられており、さらに、第１検出手段は、原稿端部押さえ部材が設けられた位置に対応する位置にて第１載置部に原稿が載置されたか否かを検出することを特徴とする。
【００１３】
これにより、請求項３に記載の発明では、第１載置部に原稿を載置する際に、原稿の端部を原稿端部押さえ部材にて押さえ付けることができるので、湾曲した原稿であっても、利用者は原稿を第１載置部に容易に載置することができる。
【００１４】
ところで、補正処理は、一般的に、走査開始位置において読み取られた画像データを基準として実行されるので、少なくとも走査開始位置においては、原稿が原稿載置台に密着していることが望ましい。
【００１５】
そこで、請求項４に記載の発明では、副走査方向端部のうち走査開始位置側に原稿端部押さえ部材を設けることにより、少なくとも走査開始位置において、原稿が原稿載置台に密着するような構成としている。
【００１６】
請求項５に記載の発明では、原稿載置台に載置された原稿と原稿載置台との間に発生した隙間の距離を検出する第２検出手段が備えられており、さらに、第１補正手段は、第２検出手段の検出結果に基づいて電子データを補正することを特徴とする。
【００１７】
これにより、請求項５に記載の発明では、適正な補正処理を実行することが可能となるので、画質データの画質を向上させることができる。
【発明を実施するための最良の形態】
【００１８】
以下に本発明の実施形態を図面と共に説明する。
（第１実施形態）
本実施形態は、原稿を自動的に搬送しながら原稿に記載された画像を読み取る自動搬送読取機能、及び静止載置された原稿に記載された画像を読み取る静止原稿読取機能を兼ね備えた画像読取装置（スキャナ）に本発明を適用したもので、以下に本発明の実施形態を図面と共に説明する。
【００１９】
１．画像読取装置の概略構造
図１は本実施形態に係る画像読取装置１の原稿カバー３を開いた状態を示す斜視図であり、図２は画像読取装置１の中央断面図であり、図３は原稿載置台５の概念図である。
【００２０】
原稿が載置される原稿載置台５には、図１に示すように、略水平方向に拡がる静止原稿読取機能用の画像読取窓（以下、静止読取窓という。）７、及び自動搬送読取機能用の画像読取窓（以下、自動読取窓という。）９が設けられており、両読取窓７、９は、ガラス
やアクリル等の透明なプラテンにて閉塞されている。
【００２１】
２．静止読取窓等の構成
原稿載置台５には、図１に示すように、静止読取窓７を上方側から覆うための原稿カバー３がヒンジ機構１１を介して揺動可能に組み付けられている。そして、使用者が原稿カバー３を原稿載置台５に対して揺動（開閉）することにより、静止読取窓７を上方側から覆う場合と静止読取窓７を開放する場合とを切り替えることができる。
【００２２】
また、静止読取窓７には、原稿を載置するための領域として、第１載置部７Ａ及び第２載置部７Ｂが設けられており、第１載置部７Ａは、その長手方向（後述する画像撮像素子１３の副操作方向）の一部が第２載置部７Ｂと重なっているとともに、画像撮像素子１３の副走査方向において、第２載置部７Ｂに対して走査開始位置側に相対的にずれている。なお、以下、第１載置部７Ａ及び第２載置部７Ｂを総称する場合は、静止読取窓７と記す。
【００２３】
また、図２中、画像撮像素子１３は、原稿に照射されて反射した光を受光し、この受光した光に基づいて電気信号を発するもので、画像読取装置１は、画像撮像素子１３を介して原稿に記載された文字等の画像を電気信号に変換して画像を読み取っていく。
【００２４】
そして、画像撮像素子１３は、原稿載置台５の長手方向（画像撮像素子１３の副走査方向）に移動可能に原稿載置台５内に組み付けられている。そして、この画像撮像素子１３は、自動搬送読取機能作動時には、自動読取窓９の直下に停止配置された状態で画像を読み取り、一方、静止原稿読取機能作動時には、静止読取窓７のうち自動読取窓９側を副走査方向における走査開始位置として、静止読取窓７の直下で移動しながら画像を読み込んでいく。
【００２５】
なお、本実施形態では、画像撮像素子１３として、ＣＩＳ（Contact Image Sensor）を用いており、このＣＩＳ（画像撮像素子１３）の長手方向（主走査方向）は、両読取窓７、９の直下において、その移動方向（副走査方向）と直交する方向に延びている。
【００２６】
また、原稿カバー３のうち静止読取窓７に対向する部位には、図１に示すように、静止読取窓７に載置された原稿を静止読取窓７側に押さえ付ける原稿押さえ１５が配設されており、この原稿押さえ１５は、スポンジ等の弾性変形可能な弾性部材、及びこの弾性部材の静止読取窓７側に貼り付けられたシート等を有して構成されている。
【００２７】
また、静止読取窓７のうち、副走査方向における走査開始位置側（本実施形態では、自動読取窓９側）の端部においては、第１載置部７Ａと第２載置部７Ｂとが重なっておらず、原稿を載置するための領域としては第１載置部７Ａのみが設けられている。
【００２８】
そして、この第１載置部７Ａのみが設けられた領域には、図１に示すように、第１載置部７Ａに載置された原稿を第１載置部７Ａに向けて押さえ付ける原稿端部押さえ部材７Ｃが設けられている。
【００２９】
また、静止読取窓７（第１載置部７Ａ）を挟んで原稿端部押さえ部材７Ｃと反対側であって、原稿端部押さえ部材７Ｃに対応する部位、つまり原稿端部押さえ部材７Ｃの直下には、図２示すように、原稿端部押さえ部材７Ｃと静止読取窓７との間に原稿が挿入されたか否か、つまり第１載置部７Ａに原稿が載置されたか否かを検出する原稿載置センサ１３Ａが設けられている。
【００３０】
なお、本実施形態では、原稿載置センサ１３Ａとして、原稿端部押さえ部材７Ｃに向け
て光を照射し、その反射光を検出することにより原稿の有無を検出する光学式の検出手段を用いているので、原稿端部押さえ部材７Ｃの静止読取窓７側を黒色として原稿載置センサ１３Ａの誤検出を予防している。
【００３１】
ところで、画像撮像素子１３は、副走査方向に移動するので、画像撮像素子１３にて原稿の全ての範囲を走査する際に、原稿端部押さえ部材７Ｃに対応する部分で、画像撮像素子１３と原稿載置センサ１３Ａとが静止読取窓７と直交する方向において重なるおそれがある。
【００３２】
そして、画像撮像素子１３と原稿載置センサ１３Ａとが静止読取窓７と直交する方向において重なった状態では、画像撮像素子１３の存在が障害となって原稿載置センサ１３Ａにて原稿が載置されているか否かを検出することができなくなるおそれがある。
【００３３】
そこで、本実施形態では、図２に示すように、原稿の読み取りが行われていない待機状態においては、画像撮像素子１３を原稿載置センサ１３Ａより走査開始位置側にずれた位置で待機させることにより、原稿載置センサ１３Ａにて原稿が載置されているか否かを検出することができなくなることを確実に防止している。
【００３４】
３．オートドキュメントフィーダ装置（図２参照）
原稿カバー３のうち自動読取窓９に対応する部位及びその近傍には、図２に示すように、読み取り用の原稿を自動読取窓９に搬送する自動原稿搬送機構２０等を有して構成されたオートドキュメントフィーダ装置が設けられている。
【００３５】
なお、原稿トレイ２１は読み取り用の原稿を載置するための載置部であり、この原稿トレイ２１に積層載置された原稿は、自動原稿搬送機構２０にて自動読取窓９に搬送された後、排出トレイ２２に排出載置される。
【００３６】
４．画像読取装置の概略電気構成
図４は画像読取装置１の概略電気構成を示すブロック図であり、制御装置３０は、ＣＰＵ、ＲＡＭ及びＲＯＭ等からなる周知のマイクロコンピュータにて構成された制御手段である。
【００３７】
そして、制御装置３０には、画像撮像素子１３、原稿載置センサ１３Ａ、画像撮像素子１３を移動させるためのモータ３１、自動原稿搬送機構２０を稼働させるモータ３２及び読み取られた画像の電子データ（以下、画像データという。）を保存するための記憶装置３３等が接続されており、制御装置３０は、これらの機器３１〜３３等を制御する。
【００３８】
また、画像処理回路３４は、画像撮像素子１３にて読み取られた画像データを電気的処理により補正する補正手段であり、この画像処理回路３４の作動は、制御装置３０により制御される。
【００３９】
５．画像読取装置の特徴的作動
図５は静止読取窓７にて原稿が読み取られる場合の画像読取装置１の制御を示すフローチャートであり、この制御フローは、原稿カバー３が開かれた状態が検出された時に起動する。
【００４０】
そして、図５に示す制御フローが起動されると、先ず、読取開始ボタンが利用者により押下されて原稿読み取りの開始指示がされたか否かが判定される（Ｓ１）。なお、読取開始ボタンとは、画像読取装置１の操作パネル（図示せず。）に設けられて利用者により操作される読取開始指示手段である。
【００４１】
このとき、読取開始ボタンが押下されたと判定された場合には（Ｓ１：ＹＥＳ）、原稿載置センサ１３Ａの出力に基づいて第１載置部７Ａに原稿が載置されたか否かが判定され（Ｓ３）、第１載置部７Ａに原稿が載置されたと判定された場合には（Ｓ３：ＹＥＳ）、画像撮像素子１３が副走査方向に移動され、その移動に伴って原稿の読み取りが開始される（Ｓ５）。また、読取開始ボタンが押下されたと判定されない場合は、待機する。（Ｓ１：ＮＯ）
画像撮像素子１３は、副走査方向への移動にともなって、通常余白部分となっている原稿の幅方向（走査方向）端部における濃度（色の濃さ）を副走査方向に渡って測定する。このとき、原稿と静止読取窓７（第１載置部７Ａ）との隙間が大きいほど、読み取られる画像はボヤける。したがって、その隙間の大きさに対応して、強調フィルタ及び平滑フィルタのパラメータを変更して補正をすることが好ましい。
【００４２】
例えば、原稿と静止読取窓７（第１載置部７Ａ）との隙間が大きい箇所ほど、読み取られる画像データについて、画像のボヤケがより確実に補正されるように、強調フィルタ及び平滑フィルタのパラメータを変更して補正をする。
【００４３】
そして、画像撮像素子１３により測定される原稿の幅方向端部の濃度と、原稿と静止読取窓７（第１載置部７Ａ）との隙間の大きさとは概ね一義的に対応すると考えられるので、その測定された濃度に基づいて、強調フィルタおよび平滑フィルタの補正パラメータ（係数）を変更する。
【００４４】
そして、原稿読み取りが開始されると、補正処理に用いられる強調フィルタ及び平滑フィルタの補正用パラメータ（係数）を、主走査方向における一端で読み取られた原稿の濃度に基づいて変更するようにして画像データに対して補正処理が実行される（Ｓ７）。
【００４５】
次に、第１載置部７Ａに載置されたときの読取開始位置が、第２載置部７Ｂに載置されたときの読取開始位置と一致するように、副走査方向の位置ずれが補正される（Ｓ９）。
つまり、本実施形態では、第１載置部７Ａの位置が、図３に示すように、第２載置部７Ｂより左側（自動読取窓９側）にずれているので、画像撮像素子１３が実際に読み取った位置を画像データの位置座標とすると、画像データを印刷又は表示したときに、同一の原稿を第１載置部７Ａに載置して読み取った場合と第２載置部７Ｂに載置して読み取った場合とで副走査方向のずれが発生してしまう。
【００４６】
そこで、Ｓ９では、第１載置部７Ａで読み取られた原稿データの位置座標を紙面右側に移動させるようにして、この副走査方向の位置ずれを補正している。なお、本実施形態では、濃度補正（Ｓ７）及び位置ずれ補正（Ｓ９）は、画像処理回路３４に実行される。
【００４７】
そして、濃度補正（Ｓ７）及び位置ずれ補正（Ｓ９）が終了すると、補正後の画像データは、記憶装置３３に送信されて記憶される。
また、Ｓ３にて第１載置部７Ａに原稿が載置されていない、つまり第２載置部７Ｂに原稿が載置されたと判定された場合には（Ｓ３：ＮＯ）、画像撮像素子１３が移動され、原稿の読み取りが開始された後（Ｓ１３）、上記した２種類の補正処理が実行されることなく、画像データが記憶装置３３に記憶される。
【００４８】
６．本実施形態に係る画像読取装置の特徴
本実施形態では、例えば利用者が原稿を第１載置部７Ａに載置した場合に限り、補正処理（Ｓ７）が実行され、一方、利用者が原稿を第２載置部７Ｂに載置した場合には補正処
理（Ｓ７）が実行されない。
【００４９】
したがって、不必要な補正処理が実行されることを利用者の意志により防止できるので、読み取られた画像データの画質低下を抑制しつつ、読み取り作業の効率を向上させることが可能となる。
【００５０】
また、本実施形態では、第１載置部７Ａに載置されたときの読取開始位置が、第２載置部７Ｂに載置されたときの読取開始位置と一致するように、副走査方向の位置ずれが補正されるので、第１載置部７Ａと第２載置部７Ｂとが互いにずれていても、第１載置部７Ａに載置されて読み取られた画像データの位置と第２載置部７Ｂに載置されて読み取られた画像データの位置とを一致させることができる。
【００５１】
ところで、前述したように、第１載置部７Ａに載置された原稿に対しては、自動的に補正処理が実行されるので、本実施形態に係る画像読取装置１では、曲がり癖がある原稿を読み取る際には、第１載置部７Ａに原稿を載置して画像読み取りを実行することが望ましいが、曲がり癖が強い場合には、原稿カバー３にて原稿を押さえ付ける前に原稿が曲がってしまうので、第１載置部７Ａに原稿を載置することが難しい場合がある。
【００５２】
これに対して、本実施形態では、第１載置部７Ａに原稿端部押さえ部材７Ｃが設けられているので、第１載置部７Ａに原稿を載置する際に、原稿の端部を原稿端部押さえ部材７Ｃにて押さえ付けることができる。
【００５３】
このため、図３（ｂ）に示すように、曲がり癖がある原稿であっても、利用者は原稿を第１載置部７Ａに容易に載置することができるので、曲がり癖がある原稿を読み取り際に確実に補正処理を実行させることができる。
【００５４】
また、本実施形態に係る画像読取装置について、「曲がり癖の強い原稿を静止読取窓７に載せる場合は、原稿原稿端部押さえ部材７Ｃにより、原稿を押えることが好ましい。」旨を使用説明書等に記載することにより、ユーザに分かりやすく伝えておくことが望ましい。このようにユーザに伝えることによって、ユーザは、曲がり癖の強い原稿をより確実に、第１載置部７Ａに載せることになるので、曲がり癖の強い原稿から読み取られる画像がより確実に補正される。
【００５５】
ところで、Ｓ７のような補正処理は、一般的に、走査開始位置において読み取られた画像データを基準として実行されるので、少なくとも走査開始位置においては、原稿が原稿載置台５に密着していることが望ましい。
【００５６】
これに対して、本実施形態では、副走査方向端部のうち走査開始位置側に原稿端部押さえ部材７Ｃを設けることにより、少なくとも走査開始位置において、原稿が原稿載置台５（第１載置部７Ａ）に密着するような構成としているので、適切な補正処理を実行することができる。
【００５７】
ところで、原稿に曲がり癖（カール）が存在すると、原稿と静止読取窓７（原稿載置台５）との間に隙間が発生し易く、原稿と静止読取窓７（第１載置部７Ａ）との隙間が大きいほど、読み取られる画像の画質が低下するので、その隙間の大きさに対応して、強調フィルタ及び平滑フィルタのパラメータを変更して補正をすることが好ましい。
【００５８】
これに対して、本実施形態では、補正処理に用いられる強調フィルタ及び平滑フィルタの補正用パラメータ（係数）を、原稿の濃度に基づいて変更するので、適正な補正処理を実行することが可能となり、画質データの画質を向上させることができる。
【００５９】
また、原稿と静止読取窓７（原稿載置台５）との間に隙間があると、画像撮像素子１３としてＣＩＳを用いた場合に、特に、問題が顕著となるが、本実施形態では、前述したように、必要に応じて画像データを補正するので、ＣＩＳを用いた画像読取装置に適用して、特に有効である。
【００６０】
７．発明特定事項と実施形態との対応関係
本実施形態では、原稿載置センサ１３Ａが特許請求の範囲に記載された第１検出手段に相当し、Ｓ７が特許請求の範囲に記載された第１補正手段に相当し、Ｓ９が特許請求の範囲に記載された第２補正手段に相当し、画像撮像素子１３が特許請求の範囲に記載された第２検出手段に相当する。
【００６１】
（第２実施形態）
第１実施形態では、画像撮像素子１３の読み取りデータに基づいて原稿の濃度、つまり原稿と静止読取窓７（原稿載置台５）との間に隙間を検出し、この検出濃度に応じて補正用パラメータ（係数）を変更したが、本実施形態は、図６に示すように、原稿と静止読取窓７（原稿載置台５）との間に隙間を検出する複数個の隙間センサ１３Ｂを副走査方向に離散的に設け、これら隙間センサ１３Ｂの検出値に基づいて補正用パラメータ（係数）を変更するものである。なお、図６は、本実施形態の特徴を示す図ある。
【００６２】
これにより、本実施形態においても、適正な補正処理を実行することが可能となり、画質データの画質を向上させることができる。
なお、本実施形態では、隙間センサ１３Ｂが特許請求の範囲に記載された第２検出手段に相当する。
【００６３】
（その他の実施形態）
上述の実施形態では、オートドキュメントフィーダ装置を有する画像読取装置にて本発明を説明したが、本発明の適用はこれに限定されるものではなく、フラットベッドのみの画像読取装置、又は画像形成装置と一体化されたものであってもよい。
【００６４】
また、上述の実施形態では、原稿と静止読取窓７（原稿載置台５）との間に隙間に応じて補正用パラメータ（係数）を変更したが、本発明はこれに限定されるものではなく、例えば、補正用パラメータ（係数）を一定値としてもよい。
【００６５】
また、上述の実施形態では、第１載置部７Ａで読み取られた画像データを補正して、第１載置部７Ａに載置されたときの読取開始位置が、第２載置部７Ｂに載置されたときの読取開始位置と一致するようにしたが、本発明はこれに限定されるものではなく、第２載置部７Ｂで読み取られた画像データを補正して両画像データの位置を一致させてもよい。
【００６６】
また、上述の実施形態では、副走査方向における走査開始側端部に原稿端部押さえ部材７Ｃを配置したが、本発明はこれに限定されるものではない。
また、上述の実施形態では、画像撮像素子１３としてＣＩＳを用いたが、本発明はこれに限定されるものではなく、例えばＣＣＤ（Charge-Coupled Device）を用いてもよい。
【００６７】
上述の実施形態では、待機状態に画像撮像素子１３を原稿載置センサ１３Ａより走査開始位置側にずれた位置で待機させることにより、原稿載置センサ１３Ａにて原稿が載置されているか否かを検出することができなくなることを防止したが、本発明はこれに限定されるものではなく、例えば待機状態においては、画像撮像素子１３を原稿載置センサ１３
Ａに対して副走査方向前進側（図２の右側）の位置で待機させ、原稿読み取り時には、画像撮像素子１３を走査開始位置側に移動させた後、移動を開始させるようにする、又は原稿載置センサ１３Ａを原稿端部押さえ部材７Ｃからずれた位置に配設するとともに、原稿載置センサ１３Ａの光軸方向を副走査方向側に傾けるようにする、又は原稿載置センサ１３Ａを原稿端部押さえ部材７Ｃ側に配設してもよい。
【００６８】
また、本発明は、特許請求の範囲に記載された発明の趣旨に合致するものであればよく、上述の実施形態に限定されるものではない。
【図面の簡単な説明】
【００６９】
【図１】本発明の実施形態に係る画像読取装置１の原稿カバー３を開いた状態を示す斜視図である。
【図２】本発明の実施形態に係る画像読取装置１の中央断面図である。
【図３】本発明の第１原稿載置台５の概念図である。
【図４】本発明の画像読取装置１の概略電気構成を示すブロック図である。
【図５】本発明の静止読取窓７（フラットベッド）にて原稿が読み取られる場合の画像読取装置１の制御を示すフローチャートである。
【図６】本発明の第２実施形態に係る画像読取装置１の特徴を示す図ある。
【符号の説明】
【００７０】
１…画像読取装置、３…原稿カバー、５…原稿載置台、７…静止読取窓、
７Ａ…第１載置部、７Ｂ…第２載置部、７Ｃ…原稿端部押さえ部材、
９…自動読取窓、１１…ヒンジ機構、１３…画像撮像素子、
１３Ａ…原稿載置センサ、１３Ｂ…隙間センサ、１５…原稿押さえ、
２０…自動原稿搬送機構、２１…原稿トレイ、２２…排出トレイ、
３０…制御装置、３１…モータ、３１…機器、３３…記憶装置、３４…画像処理回路。
【図１】
2008227843.tif 000003
【図２】
2008227843.tif 000004
【図３】
2008227843.tif 000005
【図４】
2008227843.tif 000006
【図５】
2008227843.tif 000007
【図６】
2008227843.tif 000008